(57)【要約】      （修正有）【課題】足首が悪くバランスのとり難い人や、バランスのとり難い状態におかれる人も、歩行を楽に行うことができる靴を提供する。【解決手段】人の足を包んで覆う靴本体部１９と、靴本体部１１の靴底部１２に設けられ、内部に流体が内蔵され、上下に変形可能な流体バッグ部１３とを備えた構成とされている。【選択図】図１
0003213495.tif 000002
【実用新案登録請求の範囲】
【請求項１】
人の足を包んで覆う靴本体部と、前記靴本体部の靴底部に設けられ、内部に流体が内蔵され、上下に変形可能な流体バッグ部とを備えていることを特徴とする靴。
【請求項２】
前記流体バッグ部は、前記靴底部の前側部と後側部と、これらを中間で繋いで内部の前記流体の前記前側部と前記後側部との間の流動を可能とするバイパス部とを有することを特徴とする請求項１記載の靴。
【請求項３】
前記バイパス部は、前記前側部及び前記後側部よりも幅細に形成されており、前記バイパス部の幅方向両側には、前記流体バッグ部よりも強度が高く、前記前側部、前記後側部及び前記バイパス部を側方から支持するスペーサー部が設けられていることを特徴とする請求項２記載の靴。
【請求項４】
前記流体バッグ部の周面には、その周方向に沿って蛇腹状又は断面Ｖ字状の溝が形成されていることを特徴とする請求項１乃至３のいずれか１項に記載の靴。
【請求項５】
前記流体バッグ部の周面には、前記流体の出し入れが可能な出入口が設けられていることを特徴とする請求項１乃至４のいずれか１項に記載の靴。
【請求項６】
前記出入口は、前記流体バッグ部の内部とその外側とを連通させる孔に逆流防止弁が設けられていることを特徴とする請求項５に記載の靴。
【請求項７】
前記流体は、空気であることを特徴とする請求項１乃至６のいずれか１項に記載の靴。
【考案の詳細な説明】
【技術分野】
【０００１】
本考案は、靴に関し、歩行を楽に行うことができる靴に関するものである。
【背景技術】
【０００２】
従来から、特に足を悪くするなどして、足首がうまく動かない人は、素足のときは勿論だが、靴を履くと、より体のバランスがとり難くなり、更に楽に歩行することができないという問題があった。
【０００３】
また、足が悪くない健常者であっても、疲れると足首の動きが鈍くなって歩行しにくい場合もある。
【０００４】
さらに、デコボコの足場の悪い場所などでは、誰でも体のバランスがとり難く歩行しにくい。
【０００５】
歩行を楽に行うことができるようにする研究は、現在もなされているが、しっかりとした提案自体は少ない。
【０００６】
例えば、特許文献１には、靴底に設けられ、歩行を補助する歩行支援装置が開示されている。
【０００７】
この特許文献１に開示された歩行支援装置は、確かに歩行を楽に行えるようにするものであるが、どちらかというと、足の弱った人などの歩行時にバネの弾性エネルギーを利用することにより、歩行を促進するものである。
【０００８】
しかしながら、特に足を悪くするなどして、足首がうまく動かず、素足のときは勿論だが、靴を履くと、より体のバランスがとり難くなり、更に楽に歩行することができない人には、適切な技術とはいえない。
【先行技術文献】
【特許文献】
【０００９】
【特許文献１】特開２０１２−１４３３６５号公報
【考案の概要】
【考案が解決しようとする課題】
【００１０】
本考案は、以上のような従来の問題点を解消するためのものであって、その課題は、足首が悪くバランスのとり難い人や、バランスのとり難い状態におかれる人も、歩行を楽に行うことができる靴を提供することにある。
【課題を解決するための手段】
【００１１】
前記課題を解決するために、請求項１記載の考案にあっては、人の足を包んで覆う靴本体部と、前記靴本体部の靴底部に設けられ、内部に流体が内蔵され、上下に変形可能な流体バッグ部とを備えていることを特徴とする。
従って、この靴を履いた人が前進して歩行するに際しては、前記流体バッグ部が、地面に接触し、踵側から爪先側に体重がかかるに従って、爪先側から徐々に沈み込み、踵側からは徐々に持ち上がり、前記流体バッグ部の上面が前側に傾斜し、歩行し始めると、前記流体バッグ部が、着地時に、踵側から徐々に沈み込み、爪先側から徐々に持ち上がり、前記流体バッグ部の上面が後側に傾斜し、これらを交互に繰り返すシーソーのように変形する。
【００１２】
請求項２記載の考案にあっては、前記流体バッグ部は、前記靴底部の前側部と後側部と、これらを中間で繋いで内部の前記流体の前記前側部と前記後側部との間の流動を可能とするバイパス部とを有することを特徴とする。
従って、この靴を履いた人が前進して歩行するに際しては、前記流体バッグ部が、前記バイパス部を中心として、地面に接触し、踵側から爪先側に体重がかかるに従って、爪先側から徐々に沈み込み、踵側からは徐々に持ち上がり、前記流体バッグ部の上面が前側に傾斜し、歩行し始めると、前記流体バッグ部が、着地時に、前記バイパス部を中心として、踵側から徐々に沈み込み、爪先側から徐々に持ち上がり、前記流体バッグ部の上面が後側に傾斜し、これらを交互に繰り返すシーソーのようにより確実に変形する。
【００１３】
請求項３記載の考案にあっては、前記バイパス部は、前記前側部及び前記後側部よりも幅細に形成されており、前記バイパス部の幅方向両側には、前記流体バッグ部よりも強度が高く、前記前側部、前記後側部及び前記バイパス部を側方から支持するスペーサー部が設けられていることを特徴とする。
従って、前記流体バッグ部よりも強度が高く、前記前側部、前記後側部及び前記バイパス部を側方から支持する前記スペーサー部が、前記流体バッグ部のシーソーのような変形時の地面と接する支点となる。
【００１４】
請求項４記載の考案にあっては、前記流体バッグ部の周面には、その周方向に沿って蛇腹状又は断面Ｖ字状の溝が形成されていることを特徴とする。
従って、前記流体バッグ部を擦り減り難く、比較的固めの材料とした場合も、蛇腹状又は断面Ｖ字状の溝により、上下に変形し易くなる。
【００１５】
請求項５記載の考案にあっては、前記流体バッグ部の周面には、前記流体の出し入れが可能な出入口が設けられていることを特徴とする。
従って、前記出入口から前記流体バッグ部内の前記流体の量を、様々に調節することができる。
【００１６】
請求項６記載の考案にあっては、前記出入口は、前記流体バッグ部の内部とその外側とを連通させる孔に逆流防止弁が設けられていることを特徴とする。
従って、前記孔から前記流体を前記流体バッグ部の内部に流体注入機により注入すれば、前記流体の量が所望のものとなり、前記逆流防止弁でその状態が維持され、前記流体の量が過剰である場合は、前記孔へ管などを差し込み、前記流体の余剰分を排出する調節をすることができる。
【００１７】
請求項７記載の考案にあっては、前記流体は、空気であることを特徴とする。
従って、空気は身の回りにあり、無料で自由に使えるものである。
【考案の効果】
【００１８】
請求項１記載の靴にあっては、人の足を包んで覆う靴本体部と、前記靴本体部の靴底部に設けられ、内部に流体が内蔵され、上下に変形可能な流体バッグ部とを備えた構成とされている。
従って、この靴を履いた人が前進して歩行するに際しては、前記流体バッグ部が、地面に接触し、踵側から爪先側に体重がかかるに従って、爪先側から徐々に沈み込み、踵側からは徐々に持ち上がり、前記流体バッグ部の上面が前側に傾斜し、歩行し始めると、前記流体バッグ部が、着地時に、踵側から徐々に沈み込み、爪先側から徐々に持ち上がり、前記流体バッグ部の上面が後側に傾斜し、これらを交互に繰り返すシーソーのように変形する。
その結果、この靴を履いた人が前進して歩行するに際しては、前記流体バッグ部が、地面に接触し、踵側から爪先側に体重がかかるに従って、爪先側から徐々に沈み込み、踵側からは徐々に持ち上がり、前記流体バッグ部の上面が前側に傾斜し、歩行し始めると、前記流体バッグ部が、着地時に、踵側から徐々に沈み込み、爪先側から徐々に持ち上がり、前記流体バッグ部の上面が後側に傾斜し、これらを交互に繰り返すシーソーのように変形するので、足首をうまく使えなくても、歩行に向いた安定した姿勢となり、足首が悪くバランスのとり難い人や、バランスのとり難い状態におかれる人も、歩行を楽に行うことができる。
【００１９】
請求項２記載の靴にあっては、前記流体バッグ部は、前記靴底部の前側部と後側部と、これらを中間で繋いで内部の前記流体の前記前側部と前記後側部との間の流動を可能とするバイパス部とを有する。
従って、この靴を履いた人が前進して歩行するに際しては、前記流体バッグ部が、前記バイパス部を中心として、地面に接触し、踵側から爪先側に体重がかかるに従って、爪先側から徐々に沈み込み、踵側からは徐々に持ち上がり、前記流体バッグ部の上面が前側に傾斜し、歩行し始めると、前記流体バッグ部が、着地時に、前記バイパス部を中心として、踵側から徐々に沈み込み、爪先側から徐々に持ち上がり、前記流体バッグ部の上面が後側に傾斜し、これらを交互に繰り返すシーソーのようにより確実に変形する。
その結果、この靴を履いた人が前進して歩行するに際しては、前記流体バッグ部が、前記バイパス部を中心として、地面に接触し、踵側から爪先側に体重がかかるに従って、爪先側から徐々に沈み込み、踵側からは徐々に持ち上がり、前記流体バッグ部の上面が前側に傾斜し、歩行し始めると、前記流体バッグ部が、着地時に、前記バイパス部を中心として、踵側から徐々に沈み込み、爪先側から徐々に持ち上がり、前記流体バッグ部の上面が後側に傾斜し、これらを交互に繰り返すシーソーのようにより確実に変形するので、足首をうまく使えなくても、歩行に向いたより安定した姿勢となり、足首が悪くバランスのとり難い人や、バランスのとり難い状態におかれる人も、歩行をより楽に行うことができる。
【００２０】
請求項３記載の靴にあっては、前記バイパス部は、前記前側部及び前記後側部よりも幅細に形成されており、前記バイパス部の幅方向両側には、前記流体バッグ部よりも強度が高く、前記前側部、前記後側部及び前記バイパス部を側方から支持するスペーサー部が設けられている。
従って、前記流体バッグ部よりも強度が高く、前記前側部、前記後側部及び前記バイパス部を側方から支持する前記スペーサー部が、前記流体バッグ部のシーソーのような変形時の地面と接する支点となる。
その結果、前記流体バッグ部よりも強度が高く、前記前側部、前記後側部及び前記バイパス部を側方から支持する前記スペーサー部が、前記流体バッグ部のシーソーのような変形時の地面と接する支点となるので、足首をうまく使えなくても、歩行に向いた更により安定した姿勢となり、足首が悪くバランスのとり難い人や、バランスのとり難い状態におかれる人も、歩行を更により楽に行うことができる。
【００２１】
請求項４記載の靴にあっては、前記流体バッグ部の周面には、その周方向に沿って蛇腹状又は断面Ｖ字状の溝が形成されている。
従って、前記流体バッグ部を擦り減り難く、比較的固めの材料とした場合も、蛇腹状又は断面Ｖ字状の溝により、上下に変形し易くなる。
その結果、前記流体バッグ部を擦り減り難く、比較的固めの材料とした場合も、蛇腹状又は断面Ｖ字状の溝により、上下に変形し易くなるので、足首が悪くバランスのとり難い人や、バランスのとり難い状態におかれる人も、歩行を楽に行うことができる効果を保ったままで、前記流体バッグ部の耐用期間も長くすることができる。
【００２２】
請求項５記載の靴にあっては、前記流体バッグ部の周面には、前記流体の出し入れが可能な出入口が設けられている。
従って、前記出入口から前記流体バッグ部内の前記流体の量を、様々に調節することができる。
その結果、前記出入口から前記流体バッグ部内の前記流体の量を、様々に調節することができるので、前記流体バッグ部内の前記流体の量を、この靴を履く人が最も楽に歩行できるように、個々に合わせた量とすることができる。
【００２３】
請求項６記載の靴にあっては、前記出入口は、前記流体バッグ部の内部とその外側とを連通させる孔に逆流防止弁が設けられている。
従って、前記孔から前記流体を前記流体バッグ部の内部に流体注入機により注入すれば、前記流体の量が所望のものとなり、前記逆流防止弁でその状態が維持され、前記流体の量が過剰である場合は、前記孔へ管などを差し込み、前記流体の余剰分を排出する調節をすることができる。
その結果、前記孔から前記流体を前記流体バッグ部の内部に流体注入機により注入すれば、前記流体の量が所望のものとなり、前記逆流防止弁でその状態が維持され、前記流体の量が過剰である場合は、前記孔へ管などを差し込み、前記流体の余剰分を排出する調節をすることができるので、前記流体の量を、ボールの空気を入れるように、容易に個々に合わせた量とすることができる。
【００２４】
請求項７記載の靴にあっては、前記流体は、空気である。
従って、空気は身の回りにあり、無料で自由に使えるものである。
その結果、空気は身の回りにあり、無料で自由に使えるものであるので、製造コストを低減させることができるうえに、量の調節なども簡単に行うことができる。
【図面の簡単な説明】
【００２５】
【図１】図１は、本考案の実施形態の靴の概略構成を示す側面図である。
【図２】図２は、本考案の実施形態の靴の概略構成を示す底面図である。
【図３】図３（ａ）は、本考案の実施形態の靴のスペーサー部に用いられる部材の概略構成を示す側面図であり、図３（ｂ）は、同部材の底面図である。
【図４】図４は、本考案の実施形態の靴を履いた人が爪先側に体重をかけた際の変形状態を示す図である。
【図５】図３は、本考案の実施形態の靴を履いた人が踵側に体重をかけた際の変形状態を示す図である。
【考案を実施するための形態】
【００２６】
以下、本考案に係る靴を、実施形態に基づき、図面を参照して説明する。
【００２７】
先ず、実施形態の構成について説明する。
図１〜図５は、本考案の実施形態の靴１０の概略構成を示している。
【００２８】
この実施形態の靴１０は、図１に示したように、人の足を包んで覆う靴本体部１１と、靴本体部１１の靴底部１２に設けられ、内部に流体が内蔵され、上下に変形可能な流体バッグ部１３とを備えた構成とされている。
【００２９】
より具体的には、この靴１０は、図２に示したように、流体バッグ部１３は、靴底部１２の前側部１４と後側部１５と、これらを中間で繋いで内部の流体の前側部１４と後側部１５との間の流動を可能とするバイパス部１６とを有する。
【００３０】
流体バッグ部１３は、靴本体部１１の靴底部１２の底面形状と同一の平面形状に形成されると共に、従来一般の靴やスニーカーの靴底の厚さ寸法よりも大きな厚さ寸法をもって形成されている。
【００３１】
バイパス部１６は、前側部１４と後側部１５との間の土踏まず部２４において、土踏まず部２４の幅方向中央部に前側部１４と後側部１５よりも幅細に設けられ、幅方向両側部には切欠部２５，２５が形成される。
【００３２】
ここで、流体バッグ部１３を構成する前側部１４と後側部１５と、これらを繋ぐバイパス部１６の内部を流動する流体は、空気２２である。
【００３３】
なお、靴本体部１１の靴底部１２と流体バッグ部１３の上面との間は、縫合又は接着剤等の手段により強固に固定されている。
【００３４】
さらに、バイパス部１６の幅方向両側に形成される切欠部２５，２５には、流体バッグ部１３よりも強度が高く、前側部１４、後側部１５及びバイパス部１６を側方から支持するスペーサー部１７，１７が設けられている。
【００３５】
また、スペーサー部１７，１７には、図３（ａ）及び図３（ｂ）に示したように、断面Ｕ字形の部材が用いられている。
【００３６】
スペーサー部１７，１７は、固定部２６，２６が靴底部１２に接着剤等の手段により固定されることにより、先端部２７が流体バッグ部１３の接地面２８と略面一の状態で配置される。
【００３７】
ここでは、スペーサー部１７，１７には、ＰＥＴ樹脂製のものが使用されている。
【００３８】
さらに、流体バッグ部１３の周面には、図１に示したように、その周方向に沿って蛇腹状の溝１８，１８が形成されている。
【００３９】
これにより、流体バッグ部１３は、爪先側に体重がかかると、図４に示したように、その上面が靴本体１１の靴底部１２とともに地面２３に対して前側に傾斜するよう変形し、踵側に体重がかかると、図５に示したように、その上面が靴本体部１１の靴底部１２とともに地面２３に対して後側に傾斜するよう変形するようになっている。
【００４０】
なお、スペーサー部１７，１７は、流体バッグ部１３よりも強度は高いが、図４及び図５に示したように、上記した変形を妨げないように、その先端部２７は、流体バッグ部１３の変形に追従して変形するようになっている。
【００４１】
また、流体バッグ部１３の後端部には、図１及び図２に示したように、流体としての空気２２の出し入れが可能な空気２２の出入口１９が設けられている。
【００４２】
さらに、この空気２２の出入口１９には、図２に示したように、流体バッグ部１３の内部とその外側とを連通させる孔２０に逆流防止弁２１が設けられている。
【００４３】
ここで、逆流防止弁２１は、孔２０の流体バッグ部１３の内部側の開口部の一端で可撓性及び復元力を有する可撓部２１ａにより孔２０を塞ぐ状態で設けられており、孔２０から流体としての空気２２を流体バッグ部１３の内部に、図示省略の流体注入機としての空気入により注入すれば、流体としての空気２２の量が所望のものとなり、逆流防止弁２１が可撓部２１ａの復元力で孔２０を塞ぐ状態に戻り、その状態が維持される。
【００４４】
また、流体としての空気２２の量が過剰である場合は、孔２０へ図示省略の管などを差し込み、流体としての空気２２の余剰分を排出する調節が可能であり、この場合も、管を抜き取った後は、逆流防止弁２１が可撓部２１ａの復元力で孔２０を塞ぐ状態に戻り、その状態が維持される。
【００４５】
すなわち、ボールの内部の空気量を調節する要領と同じ要領で、流体バッグ部１３の内部の流体としての空気２２の調節が可能な構成である。
【００４６】
次に、この実施形態の作用効果について説明する。
【００４７】
この本考案の実施形態の靴１０は、図１〜図５に示したように、人の足を包んで覆う靴本体部１１と、靴本体部１１の靴底部１２に設けられ、内部に流体としての空気２２が内蔵され、上下に変形可能な流体バッグ部１３とを備えた構成とされている。
【００４８】
従って、この靴１０を履いた人が前進して歩行するに際しては、流体バッグ部１３が、地面２３に接触し、踵側から爪先側に体重がかかるに従って、爪先側から徐々に沈み込み、踵側からは徐々に持ち上がり、図４に示したように、流体バッグ部１３の上面が靴本体部１１の靴底部１２とともに前側に傾斜し、歩行し始めると、流体バッグ部１３が、着地時に、踵側から徐々に沈み込み、爪先側から徐々に持ち上がり、図５に示したように、流体バッグ部１３の上面が靴本体部１１の靴底部１２とともに後側に傾斜し、これらを交互に繰り返すシーソーのように変形する。
【００４９】
すなわち、この靴１０を履いた場合、靴１０は、まず図５の状態になり、次に爪先方向に体重が移動し、図４の状態に至る。
【００５０】
その結果、この靴１０を履いた人が前進して歩行するに際しては、この靴１０を履いた場合、靴１０は、まず図５の状態になり、次に爪先方向に体重が移動し、図４の状態に至り、これらを交互に繰り返すシーソーのように変形するので、足首をうまく使えなくても、歩行に向いた安定した姿勢となり、足首が悪くバランスのとり難い人や、バランスのとり難い状態におかれる人も、歩行を楽に行うことができる。
【００５１】
なお、両足にこの靴１０を履いている場合は、歩行中のこの流体バッグ部１３のシーソーのような変形は、左右の足で逆となり、バランスをとることとなる。
【００５２】
より具体的には、流体バッグ部１３は、靴底部１２の前側部１４と後側部１５と、これらを中間で繋いで内部の流体としての空気２２の前側部１４と後側部１５との間の流動を可能とするバイパス部１６とを有する。
【００５３】
従って、この靴１０を履いた人が前進して歩行するに際しては、流体バッグ部１３が、バイパス部１６を中心として、地面２３に接触し、踵側から爪先側に体重がかかるに従って、爪先側から徐々に沈み込み、踵側からは徐々に持ち上がり、図４に示したように、流体バッグ部１３の上面が靴本体部１１の靴底部１２とともに前側に傾斜し、歩行し始めると、流体バッグ部１３が、着地時に、バイパス部１６を中心として、踵側から徐々に沈み込み、爪先側から徐々に持ち上がり、図５に示したように、流体バッグ部１３の上面が靴本体部１１の靴底部１２とともに後側に傾斜し、これらを交互に繰り返すシーソーのようにより確実に変形する。
【００５４】
その結果、この靴１０を履いた人が前進して歩行するに際しては、流体バッグ部１３が、バイパス部１６を中心として、地面２３に接触し、踵側から爪先側に体重がかかるに従って、爪先側から徐々に沈み込み、踵側からは徐々に持ち上がり、図４に示したように、流体バッグ部１３の上面が靴本体部１１の靴底部１２とともに前側に傾斜し、歩行し始めると、流体バッグ部１３が、着地時に、バイパス部１６を中心として、踵側から徐々に沈み込み、爪先側から徐々に持ち上がり、図５に示したように、流体バッグ部１３の上面が靴本体部１１の靴底部１２とともに後側に傾斜し、これらを交互に繰り返すシーソーのようにより確実に変形するので、足首をうまく使えなくても、歩行に向いたより安定した姿勢となり、足首が悪くバランスのとり難い人や、バランスのとり難い状態におかれる人も、歩行をより楽に行うことができる。
【００５５】
ここで、バイパス部１６は、図２に示したように、前側部１４及び後側部１５よりも幅細に形成されており、バイパス部１６の幅方向両側には、流体バッグ部１３よりも強度が高く、前側部１４、後側部１５及びバイパス部１６を側方から支持するスペーサー部１７，１７が設けられている。
【００５６】
従って、流体バッグ部１３よりも強度が高く、前側部１４、後側部１５及びバイパス部１６を側方から支持するスペーサー部１７，１７が、流体バッグ部１３のシーソーのような変形時の地面２３と接する支点となる。
【００５７】
その結果、流体バッグ部１３よりも強度が高く、前側部１４、後側部１５及びバイパス部１６を側方から支持するスペーサー部１７，１７が、流体バッグ部１３のシーソーのような変形時の地面２３と接する支点となるので、足首をうまく使えなくても、歩行に向いた更により安定した姿勢となり、足首が悪くバランスのとり難い人や、バランスのとり難い状態におかれる人も、歩行を更により楽に行うことができる。
【００５８】
ここで、スペーサー部１７，１７には、図３に示したように、断面Ｕ字形の部材が用いられている。
【００５９】
従って、歩行時に、土踏まず部２４はスペーサー部１７，１７が地面２３に当接するため、バイパス部１６の体重による沈み込みを防止し、前側部１４と後側部１５との間の流体としての空気２２の流動を確保できるうえに、スペーサー部１７，１７自体も歩行により地面２３から入力される衝撃を先端部２７が受け、固定部２６，２６が拡開することにより変形吸収するため、バイパス部１６を維持するとともに、クッション性を維持できる。
【００６０】
その結果、歩行時に、土踏まず部２４はスペーサー部１７，１７が地面２３に当接するため、バイパス部１６の体重による沈み込みを防止し、前側部１４と後側部１５との間の流体としての空気２２の流動を確保できるうえに、スペーサー部１７，１７自体も歩行により地面２３から入力される衝撃を先端部２７が受け、固定部２６，２６が拡開することにより変形吸収するため、バイパス部１６のつぶれを防止し、前側部１４，後側部１５間での空気２２の流動を確保することができるとともに、クッション性を維持できるので、流体バッグ部１３のシーソーのような変形時の地面２３と接する支点となる機能を果たすとともに、歩行時の安定感がより増すようにすることができる。
【００６１】
また、流体バッグ部１３の周面には、その周方向に沿って蛇腹状の溝１８，１８が形成されている。
【００６２】
従って、前記流体バッグ部１３を擦り減り難く、比較的固めの材料とした場合も、蛇腹状の溝１８，１８により、上下に変形し易くなる。
【００６３】
その結果、流体バッグ部１３を擦り減り難く、比較的固めの材料とした場合も、蛇腹状の溝１８，１８により、上下に変形し易くなるので、足首が悪くバランスのとり難い人や、バランスのとり難い状態におかれる人も、歩行を楽に行うことができる効果を保ったままで、流体バッグ部１３の耐用期間も長くすることができる。
【００６４】
さらに、流体バッグ部１３の周面の後側には、流体としての空気２２の出し入れが可能な出入口１９が設けられている。
【００６５】
従って、出入口１９から流体バッグ部１３内の流体としての空気２２の量を、様々に調節することができる。
【００６６】
その結果、出入口１９から流体バッグ部１３内の流体としての空気２２の量を、様々に調節することができるので、流体バッグ部１３内の流体としての空気２２の量を、この靴１０を履く人が最も楽に歩行できるように、個々に合わせた量とすることができる。
【００６７】
また、出入口１９は、図２に示したように、流体バッグ部１３の内部とその外側とを連通させる孔２０に逆流防止弁２１が設けられている。
【００６８】
従って、孔２０から流体としての空気２２を流体バッグ部１３の内部に、図示省略の流体注入機としての空気入により注入すれば、流体としての空気の量が所望のものとなり、逆流防止弁２１でその状態が維持され、流体としての空気２２の量が過剰である場合は、孔２０へ図示省略の管などを差し込み、流体としての空気２２の余剰分を排出する調節をすることができる。
【００６９】
その結果、孔２０から流体としての空気２２を流体バッグ部１３の内部に、流体注入機としての空気入により注入すれば、流体としての空気２２の量が所望のものとなり、逆流防止弁２１でその状態が維持され、流体としての空気２２の量が過剰である場合は、孔２０へ管などを差し込み、流体としての空気２２の余剰分を排出する調節をすることができるので、流体としての空気２２の量を、ボールの空気を入れるように、容易に個々に合わせた量とすることができる。
【００７０】
よって、流体バッグ部１３の内部の流体としての空気２２の量を調節するための流体注入機としての空気入、及び空気抜き用の管などには、市販のボールに利用するものなどを用いることができ、便利である。
【００７１】
さらに、流体バッグ部１３の内部の流体は、空気２２である。
【００７２】
従って、空気は身の回りにあり、無料で自由に使えるものである。
【００７３】
その結果、空気は身の回りにあり、無料で自由に使えるものであるので、製造コストを低減させることができるうえに、量の調節なども簡単に行うことができる。
【００７４】
以上、本考案に係る靴の実施形態について図面を参照して詳述してきたが、具体的な構成は、この実施形態に限らず、本考案の要旨を逸脱しない程度の設計的変更は、本考案に含まれる。
【００７５】
例えば、上記した実施形態では、明記しなかったが、片方の足だけ悪い人などの場合、悪くない方の足に履く靴１０は、流体バッグ部１３の変形があまり起こらないように、内部の流体としての空気２２の量を多めにして実施すると歩行時にバランスをとりやすくてよい。
【００７６】
また、上記した実施形態では、流体バッグ部１３の周面に設けられる溝１８を蛇腹状としたが、これに限定されず、断面Ｖ字状などにして実施してもよい。
【００７７】
さらに、上記した実施形態では、流体バッグ部１３の内部の流体を空気としたが、これに限定されず、その他の流体を用いて実施してもよい。
【産業上の利用可能性】
【００７８】
本考案に係る靴は、足首が悪くバランスのとり難い人や、バランスのとり難い状態におかれる人も、歩行を楽に行うことができる靴として広く使用することができるので、産業上の利用可能性を有している。
【符号の説明】
【００７９】
１０    靴
１１    靴本体部
１２    靴底部
１３    流体バッグ部
１４    前側部
１５    後側部
１６    バイパス部
１７    スペーサー部
１８    溝
１９    出入口
２０    孔
２１    逆流防止弁
２１ａ  可撓部
２２    空気（流体）
２３    地面
２４    土踏まず部
２５    切欠部
２６    固定部
２７    先端部
２８    接地面
【図１】
0003213495.tif 000003
【図２】
0003213495.tif 000004
【図３】
0003213495.tif 000005
【図４】
0003213495.tif 000006
【図５】
0003213495.tif 000007